(57)【特許請求の範囲】
【請求項１】
地下構造物用蓋の蓋本体を開蓋用のバールで開蓋するために使用する開蓋アダプタであって、
下面側に開蓋用のバールの先端部と当接する作用点部を有する突出部を一側部に有するとともに、上下方向に貫通する開口部を有するアダプタ本体と、
前記アダプタ本体を高さ調節自在に支持し、かつ下端部が地下構造物用蓋の蓋本体と当接する複数の当接部材と、
前記蓋本体を嵌合し支持する受枠または当該受枠の近傍に載置される載置部と、開蓋用のバールと当接する支点部と、前記アダプタ本体の突出部を上下方向にのみ移動可能に保持する溝部とを有する支点部材と、
前記アダプタ本体の開口部の上方より挿通されて当該アダプタ本体に載置され、かつ下端部に蓋本体の開蓋用の係合孔部の下面に係合する係合部を有する係合ピンと、
を備えた開蓋アダプタ。
【請求項２】
前記支点部と前記作用点部とが略水平となる高さに位置する、請求項１に記載の開蓋アダプタ。
【請求項３】
前記係合ピンは、その上端部に、開蓋用のバールの先端が係合可能な係合凹部を有する、請求項１または請求項２に記載の開蓋アダプタ。
【発明の詳細な説明】
【技術分野】
【０００１】
本発明は、地下構造物用蓋の蓋本体を開蓋用のバールで開蓋するために使用する開蓋アダプタに関する。
【０００２】
なお、本願明細書でいう「地下構造物用蓋」とは、下水道における地下埋設物，地下構造施設等と地上とを通じる開口部を開閉可能に閉塞するマンホール蓋，大型鉄蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【背景技術】
【０００３】
通常、地下構造物用蓋の蓋本体は受枠に嵌合した状態で支持されており、この嵌合した状態から蓋本体を開蓋するときは、例えば図５に示すように、蓋本体２１０の周縁に開口する長孔状の主バール孔２１１に開蓋用のバール３００を差し込み、梃子作用を利用して開蓋するのが一般的である。すなわち、図５の場合、バール３００の先端部が主バール孔２１１の蓋本体中心側の下面に当接して作用点となり、バール３００の前記作用点より基端側が受枠２２０と当接して支点となり、さらに、バール３００の前記支点より基端側が力点となる。
【０００４】
ところが、図５のように長孔状の主バール孔の場合、どうしても支点と作用点との距離Ｄが長くなるため、十分な梃子比を得ることができず、特に重車輛の通行によって蓋本体が受枠に強く食い込んでいると、人力だけでは開蓋できないことがある。
【０００５】
また、開蓋用のバールの梃子作用を利用した開蓋は、蓋本体の開蓋用の係合孔が図５の主バール孔のように蓋本体の周縁に開口している場合でないと適用できない。蓋本体の開蓋用の係合孔が蓋本体の周縁に開口していないと、開蓋用のバールが受枠と当接できず支点を確保できないからである。
【０００６】
これに対して、例えば特許文献１および特許文献２には、ジャッキ単独であるいはジャッキと梃子を組み合わせて開蓋する技術が開示されている。このようにジャッキを利用すれば、当然、大きな開蓋力が得られ、また、蓋本体の開蓋用の係合孔が蓋本体の周縁に開口していない場合にも適用可能である。
【０００７】
しかしながら、これらの従来技術のようにジャッキを用いると、開蓋のための装置が高価になってしまうとともに、各部材の形状も必然的に大きくなり、かつ重量も重くなり、作業者が一人で容易に持ち運べないという問題が生じていた。
【先行技術文献】
【特許文献】
【０００８】
【特許文献１】実開平３−８３２４３号公報
【特許文献２】実開平４−９２０５３号公報
【発明の概要】
【発明が解決しようとする課題】
【０００９】
本発明が解決しようとする課題は、蓋本体の周縁に開口していない開蓋用の係合孔の場合であっても通常の開蓋用のバールを使用することができ、当該バールを蓋本体の開蓋用の係合孔に差し込み開蓋するよりも大きな開蓋力が得られ、小型かつ軽量で、しかも簡単な構成であって容易かつ安価に製造可能な開蓋用の補助治具である、開蓋アダプタを提供することにある。
【課題を解決するための手段】
【００１０】
本発明の開蓋アダプタは、地下構造物用蓋の蓋本体を開蓋用のバールで開蓋するために使用する開蓋アダプタであって、
下面側に開蓋用のバールの先端部と当接する作用点部を有する突出部を一側部に有するとともに、上下方向に貫通する開口部を有するアダプタ本体と、
前記アダプタ本体を高さ調節自在に支持し、かつ下端部が地下構造物用蓋の蓋本体と当接する複数の当接部材と、
前記蓋本体を嵌合し支持する受枠または当該受枠の近傍に載置される載置部と、開蓋用のバールと当接する支点部と、前記アダプタ本体の突出部を上下方向にのみ移動可能に保持する溝部とを有する支点部材と、
前記アダプタ本体の開口部の上方より挿通されて当該アダプタ本体に載置され、かつ下端部に蓋本体の開蓋用の係合孔部の下面に係合する係合部を有する係合ピンと、を備えたことを特徴とするものである。
【００１１】
すなわち、本発明の開蓋アダプタによれば、アダプタ本体の突出部と支点部材の支点部との間に開蓋用のバールの先端側を挿入し、当該バールの基端部に下方向の力（人力）を加えることによって、梃子作用により前記アダプタ本体の作用点部に力が伝達され、当該アダプタ本体を介して前記係合ピンに、蓋本体の開蓋方向に力が作用する。そして、前記作用点部は前記アダプタ本体の突出部に設けられ、この突出部が前記支点部材に保持されているので、作用点部と支点部との距離を短くして梃子比を大きくすることができる。これにより、通常の開蓋用のバールによって大きな開蓋力を得ることができる。
【００１２】
また、本発明の開蓋アダプタによれば、開蓋用の係合孔が蓋本体の周縁に開口していない場合であっても通常の開蓋用のバールを使用して開蓋することができる。さらに本発明の開蓋アダプタは、ジャッキ等の動力機構を使用しないので、小型かつ軽量で、しかも簡単な構成となり、容易かつ安価に製造可能であるとともに、作業者一人で持ち運びができるので、作業効率を大幅に向上することが可能である。
【００１３】
本発明の開蓋アダプタにおいて、前記支点部と前記作用点部とは略水平となる高さに位置させることが好ましい。このように支点部と作用点部とを略水平となる高さとすることで、作用点部へ安定して力を伝達することができる。
【００１４】
また、本発明において前記係合ピンには、その上端部に、開蓋用のバールの先端が係合可能な係合凹部を設けることが好ましい。このように係合ピンの上端部に係合凹部を設けておけば、蓋本体の開蓋用の係合孔部に閉塞蓋や自動錠等がついていても、開蓋用のバールを係合凹部に係合させて押し込むことで、容易に係合ピンを係合孔部に設置することができる。
【発明の効果】
【００１５】
以上のとおり本発明の開蓋アダプタによれば、蓋本体の周縁に開口していない開蓋用の係合孔の場合であっても通常の開蓋用のバールを使用することができ、しかも当該バールを蓋本体の開蓋用の係合孔部に差し込み開蓋するよりも大きな開蓋力が得られる。また、本発明の開蓋アダプタは、ジャッキ等の動力機構を使用しないので、小型かつ軽量で、しかも簡単な構成となり、容易かつ安価に製造可能であるとともに、作業者一人で持ち運びができるので、作業効率を大幅に向上することが可能である。
【図面の簡単な説明】
【００１６】
【図１】本発明の一実施例による開蓋アダプタの使用状態を示す図で、（ａ）は平面図、（ｂ）は（ａ）のＡ−Ａ断面図である。
【図２】図１の開蓋アダプタを構成するアダプタ本体を示す図で、（ａ）は斜視図、（ｂ）は（ａ）のＢ−Ｂ断面図である。
【図３】図１の開蓋アダプタを構成する支点部材を示す斜視図である。
【図４】図１の開蓋アダプタを構成する係合ピンを示す斜視図である。
【図５】開蓋用のバールを使用した従来の開蓋方法を示す説明図である。
【発明を実施するための形態】
【００１７】
以下、図面に示す実施例に基づき本発明の実施の形態を説明する。
【００１８】
図１は、本発明の一実施例による開蓋アダプタの使用状態を示す図で、（ａ）は平面図、（ｂ）は（ａ）のＡ−Ａ断面図である。
【００１９】
開蓋アダプタ１００は、地下構造物用蓋２００の蓋本体２１０を開蓋用のバール３００で開蓋するために、地下構造物用蓋２００に設置されて使用される。地下構造物用蓋２００の蓋本体２１０は、受枠２２０に嵌合した状態で支持されており、蓋本体２１０には開蓋用の係合孔２１１が設けられている。本実施例において係合孔２１１は、蓋本体２１０の周縁より中央側に離間した位置に開口する長孔状の主バール孔である。そして、この係合孔２１１の下方に自動錠２３０が設置されている。
【００２０】
なお、本願明細書においては、開蓋用の係合孔２１１を囲む蓋本体２１０の周壁部分を含めて開蓋用の係合孔部と称し、以下の説明では、開蓋用の係合孔２１１と同じ符号を付して説明する。
【００２１】
開蓋アダプタ１００は、アダプタ本体１１０と、複数の当接部材１２０と、支点部材１３０と、係合ピン１４０とを組み合わせて構成されている。以下、各部材の具体的な構成を説明する。
【００２２】
図２はアダプタ本体１１０を示す図で、（ａ）は斜視図、（ｂ）は（ａ）のＢ−Ｂ断面図である。アダプタ本体１１０は、その一側部（設置時において受枠２２０側（蓋本体２１０の周縁側））に突出部１１１を有し、この突出部１１１の下面側に開蓋用のバール３００の先端部と当接する作用点部１１１ａが設けられている。本実施例において作用点部１１１ａは、突出部１１１の下側隅部の一部（中央部）を切り欠くことによって形成されている。また、アダプタ本体１１０には、その設置時において突出部１１１より蓋本体２１０の中央側の位置に、上下方向に貫通する開口部１１２が設けられている。
【００２３】
当接部材１２０はアダプタ本体１１０を高さ調節自在に支持し、この当接部材１２０の下端部は図１に示すように使用状態において地下構造物用蓋の蓋本体２１０の上面と当接する。本実施例において当接部材１２０はネジ部材（蝶ネジ）からなり、３本のネジ部材１２０が、アダプタ本体１１０の３箇所に設けた貫通孔１１３に装着される。具体的には、貫通孔１１３はネジ部材１２０が螺合するネジ溝１１３ａを有し、各ネジ部材１２０は、ネジ溝１１３ａに螺合して上下方向に進退する。これにより各ネジ部材１２０は、アダプタ本体１１０を上方に持ち上げ、後述する係合ピン１４０の係合部１４２が係合孔部２１１の下面に係合した状態で保持する。
【００２４】
図３は支点部材１３０を示す斜視図である。支点部材１３０は、地下構造物用蓋の受枠２２０またはその近傍（本実施例においては地面Ｇ）に載置される載置部１３１と、開蓋用のバール３００と当接する支点部１３２と、前述したアダプタ本体の突出部１１１を上下方向にのみ移動可能に保持する溝部１３３とを有する。本実施例において支点部１３２は、開蓋用のバール３００の先端を挿入しやすくするために支点部材１３０の上面から凹んだ位置に設けられ、また、図１（ｂ）に示すように、溝部１３３（図３参照）に保持されたアダプタ本体１１０の突出部１１１の下面側に設けた作用点部１１１ａと整合する位置に設けられている。さらに、支点部１３２と作用点部１１１ａとは略水平となる高さ（略同高さ）に設けられている。
【００２５】
図４は係合ピン１４０を示す斜視図である。係合ピン１４０は、その上部に円柱状の頭部１４１を有するとともに、下端部に蓋本体の係合孔部２１１の下面に係合する長円板状の係合部１４２を有する。この係合ピン１４０は、図１（ｂ）に示すように、アダプタ本体１１０の開口部１１２の上方より挿通されてアダプタ本体１１０に載置される。すなわち、アダプタ本体１１０の開口部１１２は、図２に示すように、その上部は係合ピン１４０の円柱状の頭部１４１が嵌合可能な円孔１１２ａとされ、下部は長円板状の係合部１４２が通過可能な長孔１１２ｂとされ、両者の境界に段差面１１２ｃが形成され、この段差面１１２ｃに係合ピン１４０の頭部１４１が載置される。なお、係合ピン１４０の頭部１４１の上端面には、開蓋用のバール３００の先端が係合可能な係合凹部１４１ａが形成されている。
【００２６】
以上の構成において、開蓋アダプタ１００を使用した開蓋の手順は次のとおりである。
【００２７】
（１）アダプタ本体１１０の開口部１１２が地下構造物用蓋の蓋本体２１０の係合孔２１１と整合するように、アダプタ本体１１０を地下構造物用蓋２００上に載置する。
【００２８】
（２）アダプタ本体１１０の開口部１１２の上方より係合ピン１４０を挿通させる。このとき、係合ピン１４０の下端部に設けた長円板状の係合部１４２の向きを、アダプタ本体１１０の開口部１１２の長孔１１２ｂと合致するようにして、係合ピン１４０の係合部１４２を、アダプタ本体１１０の開口部１１２および蓋本体の係合孔２１１を完全に通過させ、その後、係合ピン１４０をその軸周りに９０度回転させる。これにより、係合ピン１４０の係合部１４２が蓋本体２１０の係合孔部２１１の下面と係合可能な位置関係となる。なお、係合ピン１４０を挿通するときは、その頭部１４１の係合凹部１４１ａに開蓋用のバール３００の先端を係合させることで、本実施例のように係合孔部２１１に自動錠２３０がついていても開蓋用のバール３００を使用して、容易に係合ピン１４０を係合孔部２１１に押し込んで設置することができる。
【００２９】
（３）３本のネジ部材１２０を螺進させ、その先端部を蓋本体２１０の上面に当接させる。さらに各ネジ部材１２０を螺進させることでアダプタ本体１１０を上方に持ち上げ、このアダプタ本体１１０に支持された係合ピン１４０の係合部１４２を蓋本体２１０の係合孔部２１１の下面にしっかりと係合させる。これにより、アダプタ本体１１０と蓋本体２１０とが係合ピン１４０によってクランプされ、一体化する。
【００３０】
（４）支持部材１３０の溝部１３３にアダプタ本体１１０の突出部１１１を嵌め込むようにして、支持部材１３０を受枠２２０近傍の地面Ｇに載置する。これにより、アダプタ本体の突出部１１１が支持部材１３０に対して上下方向にのみ移動可能に保持される。
【００３１】
（５）図１（ｂ）に示すように、開蓋用のバール３００の先端部を支持部材１３０の支点部１３２を経由してアダプタ本体１１０の突出部１１１の下面側に設けた作用点部１１１ａに当接させる。
【００３２】
（６）バール３００の基端部に下方向の力（人力）を加える。これにより、支点部材１３０の支点部１３２を支点として、梃子作用によりアダプタ本体１１０の作用点部１１１ａに力が伝達され、このアダプタ本体１１０を介して係合ピン１４０に、蓋本体２１０の開蓋方向に力が作用する。
【００３３】
なお、前記（３）と（４）の手順は逆でも構わない、
【００３４】
以上のように本発明の開蓋アダプタ１００では、蓋本体２１０の周縁に開口していない開蓋用の係合孔２１１の場合であっても通常の開蓋用のバール３００を使用することができ、しかも作用点部１１１ａがアダプタ本体１１０の突出部１１１に設けられ、この突出部１１１が支点部材１３０に保持されているので、作用点部１１１ａと支点部１３２との距離を短くして梃子比を大きくすることができ、これにより、通常の開蓋用のバール３００を蓋本体２１０の開蓋用の係合孔２１１に差し込み開蓋するよりも大きな開蓋力を得ることができる。例えば図５に示した従来の開蓋方法では梃子比は２０：１程度であったところ、本発明の開蓋アダプタを使用すれば、梃子比をその２倍程度に大きくすることができる。
【００３５】
以上の実施例では、蓋本体２１０の開蓋用の係合孔２１１が、蓋本体２１０の周縁より中央側に離間した位置に開口する長孔状の主バール孔である場合について説明したが、本発明の開蓋アダプタ１００は、蓋本体の開蓋用の係合孔の形状および位置に関係なく使用可能である。例えば、図５と同様に蓋本体の開蓋用の係合孔が蓋本体の周縁に開口する場合や、袋状の場合であっても、問題なく使用可能である。すなわち、開蓋用の係合孔２１１が蓋本体２１０の周縁に開口している、開口していないにかかわらず、係合ピン１４０の係合部１４２を係合孔部２１１の下面に係合させることで、開蓋可能である。
【００３６】
なお、以上の実施例では、アダプタ本体１１０の突出部１１１を平面視略Ｔ字状に形成し、支持部材１３０の溝部１３３を前記平面視略Ｔ字状に対応する形状に形成しているが、これらの形状に限定されるものではなく、アダプタ本体１１０の突出部１１１を上下方向にのみ移動可能に保持する形状であれば良い。
【符号の説明】
【００３７】
１００  開蓋アダプタ
１１０  アダプタ本体
１１１  突出部
１１１ａ  作用点部
１１２  開口部
１１２ａ  円孔
１１２ｂ  長孔
１１２ｃ  段差面
１１３  貫通孔
１１３ａ  ネジ溝
１２０  当接部材（ネジ部材）
１３０  支点部材
１３１  載置部
１３２  支点部
１３３  溝部
１４０  係合ピン
１４１  頭部
１４１ａ  係合凹部
１４２  係合部
２００  地下構造物用蓋
２１０  蓋本体
２１１  開蓋用の係合孔（係合孔部）、主バール孔
２２０  受枠
２３０  自動錠
３００  開蓋用のバール
【図１】
0006368640.tif 000002
【図２】
0006368640.tif 000003
【図３】
0006368640.tif 000004
【図４】
0006368640.tif 000005
【図５】
0006368640.tif 000006